(57)【要約】【課題】送風装置を着用者の体に接触し難くすることができる衣服本体を提供する。【解決手段】衣服本体１は、前身頃１１と、後身頃１２とを備える。後身頃１２は、複数のマチ部１２３と、膨出部１２４と、送風装置取付部１２５と、を備える。複数のマチ部１２３は、後身頃１２に間隔をあけて設けられており、後方へ拡がることができる。膨出部１２４は複数のマチ部１２３と接続されており、マチ部１２３の後方への拡がりに伴い、後方へ移動する。送風装置取付部１２５は、膨出部１２４に設けられており、外気を取り込む送風装置を取り付けることができるよう構成されている。【選択図】図１
2020111844.tif 000002
【特許請求の範囲】
【請求項１】
前身頃と
後身頃と、
を備え、
前記後身頃は、
間隔をあけて設けられた、後方へ拡がり可能な複数のマチ部と、
前記複数のマチ部と接続され、前記複数のマチ部の後方への拡がりに伴い後方へ移動する膨出部と、
前記膨出部に設けられ、外気を取り込む送風装置を取り付け可能な送風装置取付部と、
を備えることを特徴とする衣服本体。
【請求項２】
前記送風装置取付部は間隔をあけて複数設けられており、
前記マチ部は、複数の前記送風装置取付部に亘って延在している、
請求項１に記載の衣服本体。
【請求項３】
前記衣服本体は、前記マチ部が当該マチ部の延在方向と直交する方向に拡がることを規制する規制部をさらに備える、
請求項１又は２に記載の衣服本体。
【請求項４】
前記衣服本体は上半身用である、
請求項１から３のいずれか１項に記載の衣服本体。
【請求項５】
前記送風装置取付部は、複数設けられており、
着用者を基準として上下方向及び左右方向を規定したとき、
複数の前記送風装置取付部は、
前記後身頃の左右方向中心を示す中心線よりも右側に、上下方向に間隔をあけて設けられた複数の右側送風装置取付部と、
前記中心線よりも左側に、上下方向に間隔をあけて設けられた複数の左側送風装置取付部と、
を含む、請求項４に記載の衣服本体。
【請求項６】
前記後身頃の内面には、前記右側送風装置取付部と前記左側送風装置取付部との左右方向における間の位置に、保冷剤を保持可能な複数の保冷剤保持部が上下方向に間隔をあけて設けられている、
請求項５に記載の衣服本体。
【請求項７】
前記複数の右側送風装置取付部と前記複数の左側送風装置取付部とは同数設けられており、
前記複数の右側送風装置取付部は互いに左右方向において整列して設けられており、
前記複数の左側送風装置取付部は互いに左右方向において整列して設けられており、
各右側送風装置取付部と各左側送風装置取付部とは、上下方向において整列して設けられている、
請求項５又は６に記載の衣服本体。
【請求項８】
前記複数のマチ部は、
前記複数の右側送風装置取付部よりも右側に設けられた第一マチ部と、
前記複数の左側送風装置取付部よりも左側に設けられた第二マチ部と、を含み、
前記第一マチ部は、前記複数の右側送風装置取付部に亘って上下方向に延在しており、
前記第二マチ部は、前記複数の左側送風装置取付部に亘って上下方向に延在している、
請求項５から７のいずれか１項に記載の衣服本体。
【請求項９】
前記複数のマチ部は、
前記中心線よりも右側で且つ前記複数の右側送風装置取付部よりも左側に設けられた第三マチ部と、
前記中心線よりも左側で且つ前記複数の左側送風装置取付部よりも右側に設けられた第四マチ部と、をさらに含み、
前記第三マチ部は、前記複数の右側送風装置取付部に亘って上下方向に延在しており、
前記第四マチ部は、前記複数の左側送風装置取付部に亘って上下方向に延在している、
請求項８に記載の衣服本体。
【請求項１０】
前記複数のマチ部は互いに上下方向に間隔をあけて設けられており、
各マチ部は、前記右側送風装置取付部から前記左側送風装置取付部に亘って左右方向に延在している、
請求項５から７のいずれか１項に記載の衣服本体。
【請求項１１】
前記複数のマチ部は、複数対のマチ部を含み、
対になったマチ部間には、前記右側送風装置取付部と前記左側送風装置取付部とが一つずつ存在する、
請求項１０に記載の衣服本体。
【請求項１２】
請求項１から１１のいずれか１項に記載の衣服本体の前記送風装置取付部に、前記送風装置が取り付けられて成る、
ことを特徴とする衣服。
【請求項１３】
電源と、前記送風装置と前記電源とを電気的に接続するケーブルと、をさらに備え、
前記ケーブルを保持する、伸縮性を有するループ状のケーブル保持部が、前記後身頃の内面に設けられている、
請求項１２に記載の衣服。
【請求項１４】
前記後身頃の内面には、前記送風装置よりも上方の位置に、前記後身頃と着用者とを離隔する複数のスペーサが取り付けられており、
前記複数のスペーサは、着用者を基準とした左右方向において間隔をあけて配置されている、
請求項１２又は１３に記載の衣服。
【発明の詳細な説明】
【技術分野】
【０００１】
本発明は、衣服本体及び衣服に関する。
【背景技術】
【０００２】
外気を取り込む送風装置を備えた衣服が知られている（例えば特許文献１）。このような衣服では、送風装置を駆動させることにより衣服内に外気を取り込み、衣服内を流れる気体によって着用者の体を冷却する。
【先行技術文献】
【特許文献】
【０００３】
【特許文献１】特開２０１８−１９３６２２号公報
【発明の概要】
【発明が解決しようとする課題】
【０００４】
ところで、このような衣服を着用した状態で体を屈めて作業すると、送風装置が着用者の体に接触し、着用者が不快感を覚えることがある。
【０００５】
本発明は、着用者の体に送風装置を接触し難くすることができる衣服本体及び衣服を提供することを目的とする。
【課題を解決するための手段】
【０００６】
（項目１）
本発明の衣服本体は、
前身頃と
後身頃と、
を備え、
前記後身頃は、
間隔をあけて設けられた、後方へ拡がり可能な複数のマチ部と、
前記複数のマチ部と接続され、前記複数のマチ部の後方への拡がりに伴い後方へ移動する膨出部と、
前記膨出部に設けられ、外気を取り込む送風装置を取り付け可能な送風装置取付部と、
を備えることを特徴とする。
【０００７】
（項目２）
前記送風装置取付部は間隔をあけて複数設けられており、
前記マチ部は、複数の前記送風装置取付部に亘って延在している、
項目１に記載の衣服本体。
【０００８】
（項目３）
前記衣服本体は、前記マチ部が当該マチ部の延在方向と直交する方向に拡がることを規制する規制部をさらに備える、
項目１又は２に記載の衣服本体。
【０００９】
（項目４）
前記衣服本体は上半身用である、
項目１から３のいずれか１項に記載の衣服本体。
【００１０】
（項目５）
前記送風装置取付部は、複数設けられており、
着用者を基準として上下方向及び左右方向を規定したとき、
複数の前記送風装置取付部は、
前記後身頃の左右方向中心を示す中心線よりも右側に、上下方向に間隔をあけて設けられた複数の右側送風装置取付部と、
前記中心線よりも左側に、上下方向に間隔をあけて設けられた複数の左側送風装置取付部と、
を含む、項目４に記載の衣服本体。
【００１１】
（項目６）
前記後身頃の内面には、前記右側送風装置取付部と前記左側送風装置取付部との左右方向における間の位置に、保冷剤を保持可能な複数の保冷剤保持部が上下方向に間隔をあけて設けられている、
項目５に記載の衣服本体。
【００１２】
（項目７）
前記複数の右側送風装置取付部と前記複数の左側送風装置取付部とは同数設けられており、
前記複数の右側送風装置取付部は互いに左右方向において整列して設けられており、
前記複数の左側送風装置取付部は互いに左右方向において整列して設けられており、
各右側送風装置取付部と各左側送風装置取付部とは、上下方向において整列して設けられている、
項目５又は６に記載の衣服本体。
【００１３】
（項目８）
前記複数のマチ部は、
前記複数の右側送風装置取付部よりも右側に設けられた第一マチ部と、
前記複数の左側送風装置取付部よりも左側に設けられた第二マチ部と、を含み、
前記第一マチ部は、前記複数の右側送風装置取付部に亘って上下方向に延在しており、
前記第二マチ部は、前記複数の左側送風装置取付部に亘って上下方向に延在している、
項目５から７のいずれか１項に記載の衣服本体。
【００１４】
（項目９）
前記複数のマチ部は、
前記中心線よりも右側で且つ前記複数の右側送風装置取付部よりも左側に設けられた第三マチ部と、
前記中心線よりも左側で且つ前記複数の左側送風装置取付部よりも右側に設けられた第四マチ部と、をさらに含み、
前記第三マチ部は、前記複数の右側送風装置取付部に亘って上下方向に延在しており、
前記第四マチ部は、前記複数の左側送風装置取付部に亘って上下方向に延在している、
項目８に記載の衣服本体。
【００１５】
（項目１０）
前記複数のマチ部は互いに上下方向に間隔をあけて設けられており、
各マチ部は、前記右側送風装置取付部から前記左側送風装置取付部に亘って左右方向に延在している、
項目５から７のいずれか１項に記載の衣服本体。
【００１６】
（項目１１）
前記複数のマチ部は、複数対のマチ部を含み、
対になったマチ部間には、前記右側送風装置取付部と前記左側送風装置取付部とが一つずつ存在する、
項目１０に記載の衣服本体。
【００１７】
（項目１２）
本発明の衣服は、
項目１から１１のいずれか１項に記載の衣服本体の前記送風装置取付部に、前記送風装置が取り付けられて成る、
ことを特徴とする。
【００１８】
（項目１３）
電源と、前記送風装置と前記電源とを電気的に接続するケーブルと、をさらに備え、
前記ケーブルを保持する、伸縮性を有するループ状のケーブル保持部が、前記後身頃の内面に設けられている、
項目１２に記載の衣服。
【００１９】
（項目１４）
前記後身頃の内面には、前記送風装置よりも上方の位置に、前記後身頃と着用者とを離隔する複数のスペーサが取り付けられており、
前記複数のスペーサは、着用者を基準とした左右方向において間隔をあけて配置されている、
項目１２又は１３に記載の衣服。
【発明の効果】
【００２０】
本発明の衣服本体では、マチ部の後方への拡がりに伴い、膨出部及び送風装置取付部も後方へ移動する。したがって、送風装置取付部に送風装置が取り付けられた場合、膨出部の後方への移動に伴い送風装置も後方に移動するため、送風装置は着用者の体に接触し難くなる。このように、本発明では、送風装置を着用者の体に接触し難くすることができる衣服のための好適な衣服本体を提供できる。
【００２１】
本発明の衣服において、衣服内に外気が取り込まれ衣服が膨張した際、マチ部が後方へ拡がると共に、膨出部及び送風装置も後方へ移動する。これにより、着用者が前屈みになっても、送風装置が着用者の体に接触し難くなる。
【図面の簡単な説明】
【００２２】
【図１】（ａ）衣服本体の正面図、（ｂ）衣服本体の背面図である。
【図２】衣服本体の内面側の概略図である。
【図３】図１（ｂ）のＩＩＩ−ＩＩＩ線端面図であり、（ａ）マチ部が拡がっていない状態の端面図、（ｂ）マチ部が後方に拡がった状態の端面図である。
【図４】（ａ）衣服の背面図、（ｂ）衣服の内面側の概略図である。
【図５】（ａ）スペーサの正面図、（ｂ）スペーサ本体の部分斜視図である。
【図６】衣服本体の変形例の背面図である。
【図７】衣服本体の変形例の背面図である。
【発明を実施するための形態】
【００２３】
本発明の衣服本体及び衣服について図面を参照しながら説明する。以下で説明する実施形態は、本発明の好ましい一具体例を示すものである。本発明は、以下の実施形態に限定されず、その主旨を逸脱しない範囲で適宜変更可能である。
【００２４】
＜１  衣服本体＞
図１（ａ）は衣服本体１の正面図、図１（ｂ）は衣服本体１の背面図である。図２は衣服本体１の内面側の概略図である。なお、「内面」とは着用者側の面のことである。また、着用者を基準として、衣服本体１の上下方向、前後方向及び左右方向を規定する。
【００２５】
図１（ａ）及び（ｂ）に示すように、衣服本体１は、前身頃１１と、後身頃１２と、袖部１３と、襟部１４と、を備える。本実施形態では、衣服本体１として、ジャンパタイプの上着を例示している。衣服本体１は、ポリエステルなどの柔軟な非通気性素材から成る。
【００２６】
前身頃１１及び後身頃１２の下端（すなわち、衣服本体１の裾）は、絞り部１５を有している。絞り部１５は、ゴムなどの伸縮性素材を内包している。これにより、絞り部１５は、その身幅が衣服本体１の上下方向における中間部の身幅よりも小さくなるよう絞られている。絞り部１５は、好ましくは着用者の体に密着する。
【００２７】
図１（ｂ）に示すように、後身頃１２は、上側後身頃１２１と、下側後身頃１２２と、を備える。上側後身頃１２１の下端と下側後身頃１２２の上端とは縫合により接続されている。上側後身頃１２１は、着用者の肩周辺から上方の部位を覆っている。下側後身頃１２２は、着用者の肩周辺よりも下方の部位を覆っており、上側後身頃１２１よりも上下方向長さが長くなっている。
【００２８】
図３（ａ）及び（ｂ）は図１（ｂ）のＩＩＩ−ＩＩＩ線端面図であり、（ａ）は後身頃１２が膨張していない状態の端面図、（ｂ）は後身頃１２が膨張した状態の端面図である。下側後身頃１２２は、複数のマチ部１２３と、膨出部１２４と、送風装置取付部１２５（以下、「取付部１２５」と表記する。）と、を有する。図１（ｂ）及び図３に示すように、膨出部１２４は、下側後身頃１２２のうち、左右両端がマチ部１２３とそれぞれ接続され、且つ、マチ部１２３よりも後方に位置する部分のことである。後述するが、図３（ｂ）に示すように、後身頃１２の膨張に伴いマチ部１２３は後方へ拡がることができる。これにより、膨出部１２４は後方へ移動する。
【００２９】
取付部１２５は、膨出部１２４に設けられており、後述する送風装置６を取り付けることができるよう構成されている。本実施形態において、取付部１２５は、膨出部１２４を貫通する貫通穴である。
【００３０】
図２に示すように、衣服本体１は、後身頃１２の内面に、規制部２と、保冷剤保持部３と、ケーブル保持部４と、スペーサ取付部５（以下、「取付部５」と表記する。）と、をさらに備える。
【００３１】
以下に、衣服本体１の各部分の詳細を説明する。
【００３２】
＜１−１  マチ部及び膨出部＞
図１から図３を参照して、マチ部１２３及び膨出部１２４について説明する。図１（ｂ）及び図２に示すように、複数のマチ部１２３はそれぞれ上下方向に平行に延在している。また、複数のマチ部１２３は、左右方向に間隔をあけて設けられている。各マチ部１２３及び各膨出部１２４の上端は、上側後身頃１２１に縫合により接続されている。各マチ部１２３及び各膨出部１２４の下端は、絞り部１５と縫合により接続されている。
【００３３】
本実施形態では、二対のマチ部１２３（すなわち、四つのマチ部１２３）が設けられている。四つのマチ部１２３は、第一マチ部１２３ａと、第二マチ部１２３ｂと、第三マチ部１２３ｃと、第四マチ部１２３ｄと、から構成されている。第一マチ部１２３ａと第三マチ部１２３ｃとが対になっており、第二マチ部１２３ｂと第四マチ部１２３ｄとが対になっている。
【００３４】
第一マチ部１２３ａは、後身頃１２の左右方向における中心を通る中心線Ｏよりも右側に設けられている。第三マチ部１２３ｃは、中心線Ｏよりも右側で、且つ、第一マチ部１２３ａよりも左側に設けられている。第一マチ部１２３ａ及び第三マチ部１２３ｃは、後述する取付部１２５ａよりも下方の位置から、取付部１２５ｂよりも上方の位置まで上下方向に亘って延在している。
【００３５】
第二マチ部１２３ｂは、中心線Ｏよりも左側に設けられている。第四マチ部１２３ｄは、中心線Ｏよりも左側で、且つ、第二マチ部１２３ｂよりも右側に設けられている。第二マチ部１２３ｂ及び第四マチ部１２３ｄは、後述する取付部１２５ｃよりも下方の位置から、取付部１２５ｄよりも上方の位置まで上下方向に亘って延在している。
【００３６】
図３（ａ）に示すように、第一マチ部１２３ａ及び第三マチ部１２３ｃはプリーツ（折り襞）状になっている。プリーツ状の第一マチ部１２３ａ及び第三マチ部１２３ｃは、下側後身頃１２２の一部を後方に折り曲げることにより形成されている。なお、第二マチ部１２３ｂ及び第四マチ部１２３ｄも、第一マチ部１２３ａ及び第三マチ部１２３ｃと同様のプリーツ状に構成されている。
【００３７】
膨出部１２４ａの右側端部は第一マチ部１２３ａと縫合により接続されている。膨出部１２４ａの左側端部は第三マチ部１２３ｃと縫合により接続されている。これにより、膨出部１２４ａは、第一マチ部１２３ａ及び第三マチ部１２３ｃよりも後方に配置される。
【００３８】
膨出部１２４ｂの右側端部は第四マチ部１２３ｄと縫合により接続されている。膨出部１２４ｂの左側端部は第二マチ部１２３ｂと縫合により接続されている。これにより、膨出部１２４ｂは、第二マチ部１２３ｂ及び第四マチ部１２３ｄよりも後方に配置される。
【００３９】
図３（ｂ）に示すように、折り畳まれた各マチ部１２３は後方に拡がることができる。各マチ部１２３の後方への拡がりに伴い、各膨出部１２４はその上下方向端部を除いて後方に張り出す。
【００４０】
＜１−２  送風装置取付部＞
図１（ｂ）及び図２を参照して、取付部１２５について説明する。取付部１２５の数は好ましくは複数個、より好ましくは偶数個であり、最も好ましくは四つである。取付部１２５は、中心線Ｏよりも右側及び中心線Ｏよりも左側にそれぞれ複数個ずつ且つ同数ずつ設けられていることが好ましい。以下では、図１（ｂ）に示すように、取付部１２５（１２５ａ〜１２５ｄ）が四つ設けられている実施形態について説明する。
【００４１】
四つの取付部１２５は、右側の膨出部１２４ａに設けられた二つの取付部１２５ａ、１２５ｂと、左側の膨出部１２４ｂに設けられた二つの取付部１２５ｃ、１２５ｄとから構成されている。各取付部１２５は円形である。また、各取付部１２５の直径は同一であり、且つ、後述する送風装置６のカバー付きファン６１の直径よりもわずかに大きくなっている。
【００４２】
二つの右側の取付部１２５ａ、１２５ｂは、上下方向に間隔をあけて設けられている。下側の取付部１２５ａは着用者の腰部近辺に位置する。下側の取付部１２５ａの下端は、第一マチ部１２３ａ及び第三マチ部１２３ｃの下端よりも上方に位置している。上側の取付部１２５ｂの上端は、第一マチ部１２３ａ及び第三マチ部１２３ｃの上端よりも下方に位置している。
【００４３】
下側の取付部１２５ａと上側の取付部１２５ｂとは、左右方向において整列して設けられている。つまり、下側の取付部１２５ａの中心と上側の取付部１２５ｂの中心はいずれも、中心線Ｏと平行な、上下方向に延びる直線上に位置している（製造上のずれは許容される）。
【００４４】
二つの左側の取付部１２５ｃ、１２５ｄは、上下方向に間隔をあけて設けられている。下側の取付部１２５ｃは着用者の腰部近辺に位置する。下側の取付部１２５ｃの下端は、第二マチ部１２３ｂ及び第四マチ部１２３ｄの下端よりも上方に位置している。上側の取付部１２５ｄの上端は、第二マチ部１２３ｂ及び第四マチ部１２３ｄの上端よりも下方に位置している。
【００４５】
下側の取付部１２５ｃと上側の取付部１２５ｄとは、左右方向において整列して設けられている。つまり、下側の取付部１２５ｃの中心と上側の取付部１２５ｄの中心はいずれも、中心線Ｏと平行な、上下方向に延びる直線上に位置している（製造上のずれは許容される）。
【００４６】
右側の取付部１２５ａと左側の取付部１２５ｃとは、上下方向において整列して設けられている。つまり、右側の取付部１２５ａの中心と左側の取付部１２５ｃの中心は、同じ高さに位置している（製造上のずれは許容される）。同様に、右側の取付部１２５ｂと左側の取付部１２５ｄとは、上下方向において整列して設けられている。
【００４７】
このように、右側の各取付部１２５ａ、１２５ｂと左側の各取付部１２５ｃ、１２５ｄとは中心線Ｏに対して左右対称に設けられていることが好ましい。
【００４８】
＜１−３  規制部＞
図２を参照して、規制部２について説明する。規制部２は、下側後身頃１２２の内面に設けられ、マチ部１２３がその延在方向と直交する方向に広がることを規制している。規制部２は、対になったマチ部１２３の一方から他方に跨がって延びている。延在方向と直交する方向とは、本実施形態では左右方向のことである。規制部２は、例えば非伸縮性の帯体から成る。
【００４９】
本実施形態では、規制部２は、一対のマチ部１２３に対して二つ設けられている。中心線Ｏよりも右側の一対のマチ部１２３において、二つの規制部２は、取付部１２５ａと取付部１２５ｂと間の位置、及び、取付部１２５ｂよりも上方の位置にそれぞれ設けられている。中心線Ｏよりも左側の一対のマチ部１２３において、二つの規制部２は、取付部１２５ｃと取付部１２５ｄと間の位置、及び、取付部１２５ｄよりも上方の位置にそれぞれ設けられている。
【００５０】
規制部２の一端部は、対になった一方のマチ部１２３と接続された下側後身頃１２２に縫合により接続されている。規制部２の他端部は、対になった他方のマチ部１２３と接続された下側後身頃１２２に縫合により接続されている。具体的には、中心線Ｏよりも右側の規制部２において、その一端部は、第一マチ部１２３ａよりも右側の下側後身頃１２２に接続されており、その他端部は、第三マチ部１２３ｃよりも左側の下側後身頃１２２に接続されている。中心線Ｏよりも左側の規制部２において、その一端部は第二マチ部１２３ｂよりも左側の下側後身頃１２２と接続されており、その他端部は第四マチ部１２３ｄよりも右側の下側後身頃１２２と接続されている。
【００５１】
＜１−４  保冷剤保持部＞
図２を参照して、保冷剤を保持するための保冷剤保持部３について説明する。複数の保冷剤保持部３は、下側後身頃１２２の内面に縫合により接続されている。保冷剤保持部３は、例えばポケットである。保冷剤保持部３がポケットの場合、当該ポケットはメッシュシートなどの通気性素材から作製されることが好ましい。
【００５２】
本実施形態では、二つの保冷剤保持部３（３ａ、３ｂ）が設けられている。二つの保冷剤冷却保持部３は、第三マチ部１２３ｃと第四マチ部１２３ｄとの間に、上下方向に間隔をあけて設けられている。下側の保冷剤保持部３ａは、右側の取付部１２５ａと左側の取付部１２５ｃとの左右方向における間の位置で、且つ、それらと同じ高さ位置に配置されている。上側の保冷剤保持部３ｂは、右側の取付部１２５ｂと左側の取付部１２５ｄとの左右方向における間の位置で、且つ、それらと同じ高さ位置に配置されている。
【００５３】
＜１−５  ケーブル保持部＞
図２を参照して、後述するケーブル８を保持するためのケーブル保持部４について説明する。ケーブル保持部４は、各膨出部１２４の内面において、各取付部１２５の下に一つずつ設けられている。また、ケーブル保持部４は、各保冷剤保持部３にも設けられている。ケーブル保持部４は、ゴム等の伸縮性素材をループ（輪）状に形成したものである。ケーブル保持部４内にはケーブル８が挿通される。
【００５４】
＜１−６  スペーサ取付部＞
図２を参照して、後述するスペーサ７を取り付けるための取付部５について説明する。取付部５は、上側後身頃１２１の上部内面（より詳細には、衣服本体１の襟元）に設けられている。本実施形態では、二つの取付部５が、左右方向に間隔をあけて配置されている。取付部５は、スペーサ７を着脱可能に取り付けることができるよう構成されていることが好ましい。本実施形態では、取付部５は、上側後身頃１２１の内面に縫合により固定された面ファスナである。
【００５５】
＜２  衣服＞
図４及び図５を参照して衣服１０について説明する。図４（ａ）は衣服１０の背面図であり、図４（ｂ）は衣服１０の内面側の概略図である。図４に示すように、衣服１０は、衣服本体１と、複数の送風装置６と、複数のスペーサ７と、ケーブル８と、電源９と、を備える。
【００５６】
＜２−１  送風装置＞
送風装置６は衣服本体１の四つの取付部１２５にそれぞれ取り付けられており、衣服１０内に外気を取り込む。送風装置６は、モータなどの駆動装置（不図示）を備えたカバー付きファン６１と、リング６２と、を有する。駆動装置は、ケーブル８を介して電源９と電気的に接続されている。電源９は前身頃１１の内面のポケット内に保持されている。電源９は、好ましくは携帯型電源である。
【００５７】
送風装置６を衣服本体１に取り付ける場合には、まず、カバー付きファン６１を下側後身頃１２２の外面側から取付部１２５内に挿入する。次に、下側後身頃１２２の内面側からリング６２をカバー付きファン６１に嵌合させる。これにより、送風装置６を衣服本体１に取り付けることができる。
【００５８】
送風装置６を駆動することにより、衣服１０内に外気が取り込まれ、着用者の体を冷却する。衣服１０内に取り込まれた外気は、衣服１０と着用者の体との間の隙間から衣服１０外へ排出される。衣服１０の下端には絞り部１５が設けられているため、衣服１０の下端からの気体の流出は防止される。
【００５９】
＜２−２  スペーサ＞
本実施形態では、衣服１０は二つのスペーサ７を備える。二つのスペーサ７はいずれも通気性である。二つのスペーサ７は、上側後身頃１２１の上部内面（より詳細には、衣服１０の襟元）に、左右方向に間隔をあけて取り付けられている。スペーサ７は所定の厚みを有し、上側後身頃１２１と着用者の体とを離隔する。これにより、上側後身頃１２１と着用者の体との間に気体が流通する空間を確保することができる。
【００６０】
図５（ａ）はスペーサ７の正面図である。スペーサ７は、スペーサ本体７１と、カバー７２とを備える。スペーサ本体７１はカバー７２内に収容されている。カバー７２は、メッシュシートなどの通気性素材から構成されている。カバー７２の背面には、取付部５と相対する位置に、取付部５に着脱可能な被取付部（本実施形態では、面ファスナ（不図示））が取り付けられている。
【００６１】
図５（ｂ）はスペーサ本体７１の部分斜視図である。スペーサ本体７１は例えば樹脂製である。スペーサ本体７１は、複数のピースが連結されて成る。各ピースは、気体が流通可能な複数の開口部を有する。気体は、開口部を通ってスペーサ本体７１内を流通することができる。
【００６２】
＜３  特徴＞
衣服本体１において、取付部１２５は、マチ部１２３と接続された膨出部１２４に設けられている。取付部１２５に送風装置６が取り付けられた衣服１０において、衣服１０内に外気が取り込まれると、衣服１０が膨張し、マチ部１２３は後方に拡がる。マチ部１２３が後方に拡がることにより、マチ部１２３と接続された膨出部１２４は後方に膨出する。その結果、送風装置６も後方に移動するため、着用者が前屈みになっても、送風装置６が着用者の体に接触しにくくなる。
【００６３】
マチ部１２３が複数の取付部１２５（すなわち、複数の送風装置６）に亘って延在していることにより、簡単な構成で複数の送風装置６全体を後方に移動させることができる。
【００６４】
規制部２を設けることにより、マチ部１２３が左右方向に拡がることを規制でき、マチ部１２３を確実に後方へ拡げることができる。
【００６５】
取付部１２５が複数設けられていることにより、送風装置６を複数取り付けることができる。そのため、衣服１０内に取り込まれる気体量を増やすことができる。さらに、複数の取付部１２５が中心線Ｏに対して右側と左側に均等に配置されていることにより、送風装置６も均等に配置できる。そのため、衣服１０の右側と左側とで均等に外気が取り込まれ、着用者の体を均等に冷却することができる。
【００６６】
保冷剤保持部３が設けられていることにより、衣服１０の内側に保冷剤を保持することができる。これにより、衣服１０内に取り込まれた外気を保冷剤によって冷却することができる。特に、右側の送風装置６と左側の送風装置６との間の位置に保冷剤保持部３が設けられていることにより、外気を効率よく冷却することができる。
【００６７】
ケーブル保持部４は伸縮性素材から構成されているため、ケーブル保持部４にケーブル８が挿通された状態で膨出部１２４が後方に移動した場合、ケーブル保持部４も伸長する。これにより、ケーブル８が強い力で後方に引っ張られることがなく、ケーブル８の損傷を防止できる。
【００６８】
送風装置６よりも上方の位置に、二つのスペーサ７が左右方向に間隔をあけて配置されていることにより、衣服１０内に取り込まれた気体の一部はスペーサ７内だけでなく、二つのスペーサ７の間を通過するようになる。これにより、送風装置６より上方にも効率的に気体を送ることができる。二つのスペーサ７が衣服１０の襟元に左右方向に間隔をあけて取り付けられていることにより、気体の一部は、スペーサ７内だけでなく、二つのスペーサ７の間を通過して、衣服１０の襟元から排出される。これにより、衣服１０の襟元から排出される風量を増加させることができ、着用者の首に沿って流れる風量を増加させることができる。したがって、着用者の首が積極的に冷却され、着用者は涼しく感じることができる。着用者の肩周辺や首元は後身頃１２と密着しやすく気体が流通しにくいため、これらの位置にスペーサ７を配置することは特に有効である。
【００６９】
＜４  変形例＞
衣服本体１及び衣服１０の変形例について説明する。以下で説明する変形例は、本発明の主旨を逸脱しない範囲で適宜組み合わせ可能である。
【００７０】
（１）図６に示すように、マチ部１２３は、第一マチ部１２３ａと第二マチ部１２３ｂとから成る一対のマチ部１２３のみであってもよい。図６に示す実施形態では、膨出部１２４は一つであり、膨出部１２４の右側端部及び左側端部は第一マチ部１２３ａ及び第二マチ部１２３ｂとそれぞれ接続されている。そして、一つの膨出部１２４に四つの取付部１２５ａ〜１２５ｄが設けられている。
【００７１】
（２）各マチ部１２３は上下方向に延在している必要はなく、図７に示すように、左右方向に延在していてもよい。この場合、規制部２は、マチ部１２３が上下方向に広がることを規制するよう設けられる。
【００７２】
（３）衣服本体１及び衣服１０は、例えばツナギであってもよい。
【符号の説明】
【００７３】
１                  衣服本体
１０                衣服
１１                前身頃
１２                後身頃
１２３              マチ部
１２３ａ            マチ部（第一マチ部）
１２３ｂ            マチ部（第二マチ部）
１２３ｃ            マチ部（第三マチ部）
１２３ｄ            マチ部（第四マチ部）
１２４              膨出部
１２５              送風装置取付部
１２５ａ、１２５ｂ  送風装置取付部（右側送風装置取付部）
１２５ｃ、１２５ｄ  送風装置取付部（左側送風装置取付部）
２                  規制部
３                  保冷剤保持部
４                  ケーブル保持部
６                  送風装置
７                  スペーサ
８                  ケーブル
９                  電源
Ｏ                  中心線
【図１】
2020111844.tif 000003
【図２】
2020111844.tif 000004
【図３】
2020111844.tif 000005
【図４】
2020111844.tif 000006
【図５】
2020111844.tif 000007
【図６】
2020111844.tif 000008
【図７】
2020111844.tif 000009